(57)【要約】【課題】光学フィルタが交換装着可能な撮影装置において、光学フィルタの装着状態に応じた最適な撮影状態で撮影を行うことができる撮影装置の提供。【解決手段】撮影光束は光学フィルタ３１を介してＣＣＤ撮像素子に入射するが、測距センサには光学フィルタ３１の直前でサブミラーにより反射された光束が入射する。光学フィルタ３１の有無はフィルタ装着部１４に設けられたスイッチ４５により検出され、および光学フィルタ３１の種類は接点４３ａ〜４３ｄ，４４により検出される。そして、検出された光学フィルタ３１の有無およびその種類に応じて、焦点位置や露光量やホワイトバランス等の撮影パラメータを算出し、その撮影パラメータに基づいて撮影が行われる。その結果、光学フィルタの有無や装着されている光学フィルタの種類に関わらず最適な状態で撮影を行うことができる。【選択図】　　　　図４
2004129124.tif 000002
【特許請求の範囲】
【請求項１】
撮影レンズからの撮影光束を受光して被写体像を撮像する撮像手段と、
光学フィルタが着脱可能であって、装着された光学フィルタを前記撮影光束の光路中に配設するフィルタ装着部と、
前記フィルタ装着部に装着された光学フィルタを介さずに被写体光束を受光するセンサと、
前記フィルタ装着部に光学フィルタが装着されているか否かおよび装着されている光学フィルタの種類を検出するフィルタ検出手段と、
前記センサの検出結果および前記フィルタ検出手段の検出結果に基づいて撮影パラメータを算出するパラメータ算出手段とを備え、算出された撮影パラメータに基づいて撮影を行うことを特徴とする撮影装置。
【請求項２】
請求項１に記載の撮影装置において、
前記撮影光路上の前記フィルタ装着部よりも被写体側において撮影光束の一部を前記撮影光路から分岐させる光束分割手段を備え、前記センサは前記光束分割手段で分岐された撮影光束を前記被写体光束として検出することを特徴とする撮影装置。
【請求項３】
請求項２に記載の撮影装置において、
前記フィルタ装着部を前記撮像手段の直前に配設したことを特徴とする撮影装置。
【請求項４】
請求項１に記載の撮影装置において、
前記センサは、前記撮像レンズを介さない被写体光束を検出することを特徴とする撮影装置。
【請求項５】
請求項１〜４のいずれかに記載の撮影装置において、
前記撮影パラメータは、焦点位置、露光量およびホワイトバランスの少なくとも一つであることを特徴とする撮影装置。
【発明の詳細な説明】
【０００１】
【発明の属する技術分野】
本発明は、撮影光路中に配設される光学フィルタが取り外し交換可能な撮影装置に関する。
【０００２】
【従来の技術】
従来、ＣＣＤ撮像素子等を用いて撮像する電子カメラでは、撮影レンズと撮像素子との間の光路中に光学ローパスフィルタが配置されるのが一般的であり、このローパスフィルタが取り外し可能なものもある。ＣＣＤ撮像素子のような画素が規則的に配設された撮像素子を用いて、例えば縞模様の被写体を撮像すると、その縞模様と画素の規則的配列との干渉によってモアレが生じることがある。光学ローパスフィルタはこのようなモアレ発生を防止するために設けられている。
【０００３】
光学ローパスフィルタは、入射した光を複屈折させて光を分散させることにより干渉縞（モアレ）の発生を防止している。しかし、干渉縞の発生は防げるが、一方で、画像が微妙にボケるという欠点があった。そのため、干渉縞が生じにくい自然物、例えば風景などを撮影する場合には、光学ローパスフィルタを外して高解像度で撮影したいという要望が従来からあり、ユーザーによる光学フィルターの取り外しが可能な一眼レフ方式のカメラも提案されている（例えば、特許文献１参照）。
【０００４】
ところで、光学ローパスフィルタをＣＣＤ撮像素子の直前に配設しているカメラでは、光学ローパスフィルタに入射する前の撮影光束の一部を分岐させて、その分岐した光束を測距センサに導いて測距を行うようにしている。この場合、光学ローパスフィルタの有無は光路長に影響するので、この光路長差も考慮してＣＣＤ撮像素子と測距センサとが光学的に共役な位置となるように設定されている。すなわち、測距センサで合焦が検出されると、ＣＣＤ撮像素子にピントの合った被写体像が投影される。
【０００５】
【特許文献１】
特開平７−１２３４２１号公報
【０００６】
【発明が解決しようとする課題】
しかしながら、光学ローパスフィルタを外して用いた場合、光学ローパスフィルタ部分が空気で置き換わるため、空気と光学ローパスフィルタとの光路長の違いによってＣＣＤ撮像素子側の結像位置が変化する。すなわち、元々光学ローパスフィルタを介さない光束で測距している測距センサ側では、光学ローパスフィルタの有無にかかわらず結像位置は変化せず、合焦状態が検出される。一方、光学ローパスフィルタが光路中から外されたＣＣＤ撮像素子側では光路長が変化し、ピントのずれた被写体像がＣＣＤ撮像素子に投影されることになる。そのため、ＡＦ撮影時に、ピントのずれた撮影画像になってしまうという問題があった。
【０００７】
本発明の目的は、光学フィルタが交換装着可能な撮影装置において、光学フィルタの装着状態に応じた最適な撮影状態で撮影を行うことができる撮影装置を提供することにある。
【０００８】
【課題を解決するための手段】
（１）請求項１の発明による撮影装置は、撮影レンズからの撮影光束を受光して被写体像を撮像する撮像手段と、光学フィルタが着脱可能であって、装着された光学フィルタを撮影光束の光路中に配設するフィルタ装着部と、フィルタ装着部に装着された光学フィルタを介さずに被写体光束を受光するセンサと、フィルタ装着部に光学フィルタが装着されているか否かおよび装着されている光学フィルタの種類を検出するフィルタ検出手段と、センサの検出結果およびフィルタ検出手段の検出結果に基づいて撮影パラメータを算出するパラメータ算出手段とを備え、算出された撮影パラメータに基づいて撮影を行うことにより上述の目的を達成する。
（２）請求項２の発明は、請求項１に記載の撮影装置において、撮影光路上のフィルタ装着部よりも被写体側において撮影光束の一部を撮影光路から分岐させる光束分割手段を備え、センサは光束分割手段で分岐された撮影光束を被写体光束として検出するものである。
（３）請求項３の発明は、請求項２に記載の撮影装置において、フィルタ装着部を撮像手段の直前に配設したものである。
（４）請求項４の発明では、請求項１に記載の撮影装置において、センサは、撮像レンズを介さない被写体光束を検出する。
（５）請求項５の発明は、請求項１〜４のいずれかに記載の撮影装置において、撮影パラメータを、焦点位置、露光量およびホワイトバランスの少なくとも一つとしたものである。
【０００９】
【発明の実施の形態】
以下、図を参照して本発明の実施の形態を説明する。図１は本発明による撮影装置の一実施の形態を説明する図であり、レンズ交換可能な一眼レフ方式の電子カメラの概略構成を示す断面図である。電子カメラ１のレンズマウント２には交換レンズ３が装着されている。交換レンズ３の撮影レンズ４を通った撮影光束Ｌはミラー５により２つの光束Ｌ１，Ｌ２に分割され、ミラー５により反射された光束Ｌ２はファインダースクリーン６上に結像される。ファインダースクリーン６上に結像された被写体像は、ペンタプリズム７および接眼レンズ８を介してファインダー接眼窓９から観察することができる。また、ペンタプリズム７に導かれた光の一部は、測光センサ１５および測色センサ１６に導かれる。
【００１０】
ミラー５の背面側にはサブミラー１０が設けられている。そのため、ミラー５を透過した光束Ｌ１の一部Ｌ１２は、サブミラー１０で反射されて測距センサ１３に導かれる。光学フィルタ３１としては、例えば、ローパスフィルタが設けられる。測距センサ１３はＣＣＤ撮像素子１１と光学的に共役な位置に配置されており、測距センサ１３上にも被写体像が結像される。測距センサ１３では周知の位相差検知方式等により測距が行われる。光学フィルタ３１とそれを保持するフィルタ枠３２とで、一体のフィルタユニットＦＵが構成されている。フィルタ枠３２はフィルタ装着部１４にビス止めされている。
【００１１】
図２はフィルタユニットＦＵの一例を示す図であり、（ａ）はフィルタユニットＦＵの表面側を示しており、（ｂ）はフィルタユニットＦＵの裏面側を示している。図２のフィルタユニットＦＵをフィルタ装着部１４に装着する際には、裏面側をフィルタ装着部１４に向けて装着される。光学フィルタ３１はＣＣＤ撮像素子１１の形状と同様の矩形状をしている。フィルタ枠３２には貫通孔３４が形成されており、後述するように、この貫通孔３４を用いてフィルタ枠３２をフィルタ装着部４０にビス止めする。
【００１２】
図２（ａ）に示すようにフィルタ枠３２の左上部には４つの切片３５ａ〜３５ｄが形成されている。切片３５ａ〜３５ｄの裏面側には金属パターン等の導通パターン３６が形成されている（図２（ｂ）参照）。これらの切片３５ａ〜３５ｄは、前後に折り曲げるなどしてフィルタ枠３２から容易に切除することができる。切片３５ａ〜３５ｄを切除すると、各切片に形成されている部分の導通パターン３６もフィルタ枠３２から切除されることになる。図２に示したフィルタユニットＦＵにおいては、切片３５ａ〜３５ｄを切除することにより、様々な形状の導通パターン３６を形成することができる。
【００１３】
上述した実施の形態では、図２に示すようにフィルタユニットＦＵの切片３５ａ〜３５ｄを切除することにより、種々の導通パターン３６を形成するようにしたが、図３に示すようなフィルタユニットＦＵ１，ＦＵ２でも良い。図３はフィルタユニットＦＵ１，ＦＵ２の裏面側を示す図である。図３（ａ）のフィルタユニットＦＵ１に形成された導通パターン３６は、図２のフィルタユニットＦＵの切片３５ａを切除した場合と同一形状となっている。一方、図３（ｂ）のフィルタユニットＦＵ２に形成された導通パターン３６は、フィルタユニットＦＵの切片３５ｃを切除した場合と同一形状となっている。
【００１４】
図４はフィルタユニットＦＵのフィルタ装着部１４への装着を説明する図であり、（ａ）はフィルタ装着部１４をレンズマウント２側から見た図であり、（ｂ）はフィルタユニットＦＵが装着されたフィルタ装着部１４を示す図である。いずれの場合も、図１のミラー５を跳ね上げた状態でレンズマウント２側から見たものである。図４（ａ）に示すようにフィルタ装着部１４には撮影光束を通過させる矩形開口１４ａが形成されており、この矩形開口１４ａを通過した撮影光束はＣＣＤ撮像素子１１に達する（図１参照）。
【００１５】
矩形開口１４ａの図示左上側には接点４３ａ〜４３ｄおよび４４が設けられている。接点４３ａ〜４３ｄは、フィルタ装着部１４に装着されたフィルタユニットＦＵの種類、すなわち光学フィルタ３１の種類を検出するための接点である。接点４４はＧＮＤ接点に設定されている。また、矩形開口１４ａの図示上右側にはプッシュ式のスイッチ４５が設けられている。スイッチ４５は、フィルタ装着部１４にフィルタユニットＦＵが装着されているか否かを検出するためのスイッチである。
【００１６】
矩形開口１４ａの左右にはネジ孔４１が形成されており、フィルタ枠３２に形成された貫通孔３４（図２参照）を通してビス４２をネジ孔４１に螺合させることにより、フィルタユニットＦＵをフィルタ装着部１４に固定する（図４（ｂ）参照）。フィルタユニットＦＵをフィルタ装着部１４に固定すると、フィルタ枠３２によりスイッチ４５が押し込まれてオン状態となる。また、フィルタユニットＦＵの裏面側に形成された導通パターン３６が、接点４３ａ〜４３ｄおよび４４に接触する。図４（ｂ）に示す例ではフィルタユニットＦＵの切片３５ａが切除されており、導通パターン３６は接点３５ｂ〜３５ｄおよび４４と接触している。すなわち、接点３５ｂ〜３５ｄが導通状態（オン状態）となっていて、接点３５ａは非導通状態（オフ状態）となっている。これら接点４３ａ〜４３ｄのオン・オフにより光学フィルタ３１の種類を検出することができる。
【００１７】
図５は、装着部１４に装着される光学フィルタの種類と接点４３ａ〜４３ｄおよびスイッチ４５の状態との対応関係の一例を示す図である。図５において上下方向に光学フィルタの種類を、左右方向に４３ａ〜４３ｄおよびスイッチ４５の状態を示した。なお、「○」印は接点４３ａ〜４３ｄが導通状態であることを、「×」印は接点４３ａ〜４３ｄが非導通状態であることを示している。非導通状態「×」が接点４３ａ〜４３ｄのいずれであるかによって、標準フィルタＡ、フィルタＢ〜Ｄのいずれが装着されているかを検出する。接点４３ａ，４３ｂが非導通状態「×」であるときには、フィルタＥが装着されていると判定する。また、接点４３ａ〜４３ｄの全てが非導通状態「×」でスイッチ４５がオフのときには、フィルタ装着部１４にフィルタユニットＦＵが装着されていないと判定する。
【００１８】
本実施の形態では、ローパスフィルタが標準フィルタＡに設定されており、工場出荷時にはローパスフィルタが装着されている。すなわち、通常は接点４３ｂ〜４３ｄがＧＮＤ接点４４と導通していて、かつ、スイッチ４５がオンとなっている。ユーザがローパスフィルタを外すと、接点４３ａ〜４３ｄの全てが非導通状態「×」でスイッチ４５がオフとなり、ローパスフィルタが装着されていないことが検出される。
【００１９】
図６は図１に示した電子カメラ１の回路ブロック図である。メインスイッチＳＷ１がオンされると電子カメラ１の電源がオンとなり、マイクロコンピュータ３１２によってメモリー３２０に記憶されている制御プログラムが起動される。レリーズスイッチＳＷ２がオンされると、図１のミラー５が跳ね上げられ、ＣＣＤ撮像素子１１の撮像面上に被写体光が結像される。その結果、被写体像の明るさの強弱に応じた信号電荷がＣＣＤ撮像素子１１に蓄積され、アナログ画像信号として撮像回路３１１に出力される。
【００２０】
撮像回路３１１では、ＣＣＤ撮像素子１１から出力された画像信号に対するノイズ除去、ゲインコントロールなどのアナログ処理を行い、そのアナログ信号をデジタル信号に変換し、さらに、得られたデジタル画像データに対して輪郭補償やガンマ補正、ホワイトバランス調整などの画像処理を行う。画像処理が行われた後の画像データは画像記憶メモリー３１８に記憶され、その画像データに基づく画像が電子カメラ１に設けられた液晶モニター３１５に表示される。３１４は液晶モニター３１５を駆動するためのドライバである。
【００２１】
各種画像処理が施されて画像記憶メモリー３１８に記憶された画像データは、圧縮／伸張回路３１９により所定の圧縮形式（例えば、ＪＰＥＧ方式）でデータ圧縮されて、カメラ１のコネクタ３１６に装着されたメモリーカード３１７に記録される。また、メモリーカード３１７に記憶されている圧縮された画像データを圧縮／伸張回路３１９で伸張して画像記憶メモリー３１８に記憶させ、その画像データに基づく画像を液晶モニター３１５に表示することもできる。
【００２２】
インターフェース３１３には所定の外部装置（不図示）が接続され、マイクロコンピュータ３１２と外部装置との間でデータの送受が行われる。３２２は撮影条件やカメラ設定等が表示されるファインダー内表示装置であり、３２１は電子カメラ１に駆動電力を供給する電池である。測距センサ１３は、撮影光束を受光して位相差方式等により被写体像の合焦状態を検出する。測光センサ１５は露出量を、測色センサ１６は被写体およびその周囲の色温度を検出する。測色センサ１６の検出情報に基づいて撮像画像のホワイトバランス調整が行われる。
【００２３】
接点４３ａ〜４３ｄはマクロコンピュータ３１２に接続されており、接点４３ａ〜４３ｄがＧＮＤ電位であるか否かがマクロコンピュータ３１２により検出される。図４（ｂ）に示すようなフィルタユニットＦＵがフィルタ装着部１４に装着されると、接点４３ｂ〜４３ｄはＧＮＤ接点４４と接続されてＧＮＤ電位となり、スイッチ４５はオンになる。マクロコンピュータ３１２は、このような接点４３ａ〜４３ｄの電位およびスイッチ４５のオン・オフ状態から、フィルタユニットＦＵの装着／未装着およびフィルタ装着部１４に装着されているフィルタユニットＦＵの種類を認識することができる。
【００２４】
メモリー３２０には、カメラに装着可能なフィルタユニットに関して、図５で示すようなデータが予め記憶されている。さらに、メモリー３２０には、フィルタＡ、Ｂ、Ｃ、ＤおよびＥの光学的特性に関する情報が記憶されている。この情報は「焦点位置補正」、「露光量補正」および「ホワイトバランス補正」に関するものであり、光学フィルタ３１の光路長特性や分光透過率特性である。上述したように、マクロコンピュータ３１２は接点４３ａ〜４３ｄの電位およびスイッチ４５のオン・オフ状態と図５のデータとを比較してフィルタユニットＦＵの種類を認識する。なお、フィルタユニットＦＵの検出情報をファインダー内表示装置３２２に表示するようにしても良い。レンズ駆動装置３２３は、マイクロコンピュータ３１２の命令により撮影レンズ４のフォーカスレンズ合焦レンズ位置に移動させる機構である。
【００２５】
図７は、フィルタユニット認識およびフィルタユニットＦＵに応じた補正を行う際に、マイクロコンピュータ３１２により実行されるプログラムのフローチャートである。このプログラムはメインスイッチＳＷ１がオンされるとスタートする。ステップＳ１１では接点４３ａ〜４３ｄの導通状態およびスイッチ４５のオンオフ状態に関する情報を収集する。ステップＳ１２ではスイッチ４５がオンか否か、すなわちフィルタ装着部１４にフィルタユニットＦＵが装着されているか否かを判定する。なお、以下では図５に示したテーブルに基づいてフィルタ認識を行うものとする。ステップＳ１２でオンと判定されるとステップＳ１３へ進み、オフと判定されるとステップＳ１４へ進む。
【００２６】
ステップＳ１３では、接点４３ａ〜４３ｄの導通状態から装着されているフィルタユニットＦＵが標準フィルタＡか否か、すなわち、接点４３ａの状態が「×」で、かつ接点４３ｂの状態が「○」であるか否かを判定する。標準フィルタＡと判定された場合には「焦点位置補正」、「露光量補正」および「ホワイトバランス補正」を必要としないので、フィルタ認識および補正に関する一連の処理を終了する。一方、ステップＳ１３で標準フィルタＡでないと判定されるとステップＳ１４へ進む。
【００２７】
ステップＳ１４では、接点４３ａ〜４３ｄの導通状態が図５で示した既知の設定のいずれかと一致するか否かを判定する。ステップＳ１４でいずれの設定にも一致しない（ＮＯ）と判定されると、予め使用可能と設定されているフィルタユニットＦＵとは異なるフィルタユニットＦＵが装着されていることになるので、ステップＳ１５に進んでファインダ内表示装置３２２にその旨を知らせる警告表示を行う。そして、フィルタ認識および補正に関する一連の処理を終了する。
【００２８】
ステップＳ１６では、導通状態が一致しているフィルタユニットＦＵに関する光学特性情報（光路長特性、分光透過率特性）をメモリー３２０から読み込む。ステップＳ１７では、読み込まれた光路長特性に基づいて焦点位置補正処理が実行される。例えば、フィルタ装着部１４にフィルタユニットＦＵが装着されていない場合を考えると、標準フィルタＡ（ローパスフィルタ）が装着されている標準状態に対して光路長が短くなる。
【００２９】
標準フィルタＡの屈折率および厚さをｎ，ｔとすると、同じ厚さの空気層に対する空気換算光路長差Δは、Δ＝ｔ×（１−１／ｎ）と表される。標準フィルタＡを装着したときにＣＣＤ撮像面にピントが合っていた状態において標準フィルタＡを外すと、光路長がΔだけ短くなってピント面はＣＣＤ撮像面よりも後ろに移動することになる。しかし、測距センサ１３には標準フィルタＡを通過する前の光束が導かれ、センサ検出面とＣＣＤ撮像面とは標準フィルタＡを装着した状態において共役な関係にあるので、標準フィルタＡを外してもピント面とセンサ検出面とは一致していることになる。そのため、標準フィルタＡが装着されている場合と同様に測距センサ１３の出力値をそのまま用いて焦点調節を行うと、光路長差Δの分だけピントがずれることになる。
【００３０】
ステップＳ１７ではこの空気換算光路長差Δを算出し、標準フィルタＡが装着されている場合よりも光路長差Δだけ前方に結像させるように、レンズ駆動装置３２３により撮影レンズ４のフォーカスレンズを移動させる。例えば、測距センサ１３の検出面とピント面とが一致しているときの出力値をＳ１、ピント面が検出面よりもΔだけ前にある時の出力値をＳ２としたとき、測距センサ１３の出力値からδＳ＝Ｓ１−Ｓ２だけマイナスした値Ｓ１−δＳに基づいて焦点調節を行う。ここで、Ｓ１−δＳ＝Ｓ２であるから、上記焦点調節動作によって被写体像は検出面の前方Δの位置、および、ＣＣＤ撮像面上にそれぞれ結像される。フィルタＢ〜Ｅが装着されている場合にも、それらのフィルタと標準フィルタＡとの光路長差を考慮して、同様の補正処理を行えば良い。
【００３１】
ステップＳ１７の処理が終了したならば、ステップＳ１８に進んで露光量補正処理を行う。露光量補正処理の場合も焦点位置補正の場合と同様であって、例えばフィルタ非装着時においては、標準フィルタＡ装着時と非装着時との透過特性の差を考慮して適正露光量となるように露光量補正を行う。空気を基準とした標準フィルタＡの比透過率をγ（＜１）とすれば、標準フィルタＡを外したときのピント面における被写体画像の明るさは標準フィルタＡ装着時の１／γ倍となって明るくなる。よって、最適露光量となるのは測光センサ１５の出力値が標準フィルタＡ装着時のγ倍のときであるから、測光センサ１５の出力値をγ倍した補正信号に基づいて露光量を設定すれば良い。
【００３２】
続くステップＳ１９では、読み込んだ「透過光周波数特性」に基づいて測色値を補正し、その補正された測色値に基づいてホワイトバランス調整を行う。補正方法に関しては、上述した「焦点位置補正」および「露光量補正」と同様の方法で行えば良く、ここでは説明を省略する。ステップＳ１９のホワイトバランス補正処理が終了したならば、フィルタ認識および補正に関する一連の処理を終了する。
【００３３】
なお、上述した例では、フィルタＢ〜Ｅの光学特性が標準フィルタＡと異なっている場合には、補正量の大小に関係なく補正処理を行うようにしたが、補正量が非常に小さくて無視できるような場合には、図８のフローチャートのように補正処理を省略するようにしても良い。ステップＳ２１では焦点位置補正量（Δに相当する）を算出して、その補正量が所定値以下か否かを判定する。ステップＳ２１で所定値よりも大きいと判定されるとステップＳ２２へ進んで焦点位置補正処理を行い、所定値以下と判定されるとステップＳ２３へ進む。
【００３４】
ステップＳ２３では露光量の補正量を算出して、その補正量が所定値以下か否かを判定する。ステップＳ２３で所定値よりも大きいと判定されるとステップＳ２４へ進んで露光量補正処理を行い、所定値以下と判定されるとステップＳ２５へ進む。ステップＳ２５ではホワイトバランス補正量を算出して、その補正量が所定値以下か否かを判定する。ステップＳ２５で所定値よりも大きいと判定されるとステップＳ２６へ進んでホワイトバランス補正処理を行い、所定値以下と判定されると一連の処理を終了する。
【００３５】
上述した説明では、メモリー３２０に光学特性情報（光路長特性、分光透過率特性）を記憶させておき、そのデータに基づいて各補正量を算出し、算出された各補正量に基づいて焦点位置補正、露光量補正およびホワイトバランス補正を行うようにした。しかし、上述した光学特性情報に代えて、標準フィルタＡの代わりに各フィルタＢ〜Ｅを使用したときの各補正量（焦点位置補正量、露光量補正量、ホワイトバランス補正量）をメモリー３２０に記憶させるようにしても良い。また、補正量が所定値以下のものについては補正量＝０をメモリー３２０に記憶させておき、その補正量を用いて補正処理を行うことにより結果的に補正処理が省略されるようにしても良い。
【００３６】
以上説明したように、本実施の形態では、接点４３ａ〜４３ｄおよびスイッチ４５の状態により、フィルタユニットＦＵの装着の有無や光学フィルタ３１の種類を検出することができる。そして、検出結果に基づいて空気換算光路長や分光透過率の違いを識別し、焦点位置、露光量、ホワイトバランス等の撮影パラメータの補正を行うようにした。その結果、フィルタユニットＦＵが外されたり、フィルタユニットＦＵが標準フィルタＡから他のフィルタＢ〜Ｅに交換された場合であっても、最適な撮影を行うことができる。
【００３７】
上述した実施の形態では、図１に示したようにＣＣＤ撮像素子１１の直前に光学フィルタ３１を着脱自在に設けたが、測距センサ１３，測光センサ１５および測色センサ１６の少なくとも一つが光学フィルタを通過しない光束を受光するような構成であれば本発明を適用することができる。例えば、図９に示す電子カメラ１００ではレンズマウント２の近傍に設けられたフィルタ装着部１４にフィルタユニットＦＵを装着するような構成となっている。さらに、カメラ１００では、測色センサ１６に加えてペンタプリズム７の前方に第２の測色センサ１７を備えている。
【００３８】
ＣＣＤ撮像素子１１、測距センサ１３，測光センサ１５および測色センサ１６は、フィルタユニットＦＵを通過した撮影光束を受光することになり、フィルタユニットＦＵの着脱および交換の影響については同一条件となっている。そのため、フィルタユニットＦＵの交換および取り外しを行った場合でも、上述したような測距センサ１３，測光センサ１５および測色センサ１６に対する補正処理を行う必要がない。
【００３９】
一方、ペンタプリズム７の前方に設けられた測色センサ１７は、撮影レンズ２から取り込まれてフィルタユニットＦＵを通過した撮影光束ではなく、カメラボディに設けられた窓１８から入射する光を検出するような構成となっている。通常は、標準フィルタＡ（光学ローパスフィルタ）がフィルタユニットＦＵとして装着されているので、光学ローパスフィルタの光学特性を考慮して、測色センサ１７の出力信号に対してカメラ１の測色センサ１６の場合と同様の調整が行われる。そのため、フィルタユニットＦＵの交換および取り外しを行った場合には、図７のステップＳ１８や図８のステップＳ２６で行われたのと全く同様の補正処理が測色センサ１７の出力信号に対して行われる。
【００４０】
上述した実施の形態ではレンズ交換式の一眼レフ式電子カメラを例に説明したが、本発明は、撮影レンズとカメラ本体とが一体となったコンパクトカメラにも同様に適用することができる。また、撮像手段として銀塩フィルムを用いるカメラにも適用することができる。さらに、デジタルスチルカメラだけではなく、デジタルムービーにも同様に適用することができる。
【００４１】
以上説明した実施の形態と特許請求の範囲の要素との対応において、測距センサ１３，測光センサ１５，測色センサ１６，１７はセンサを、接点４３ａ〜４３ｄ，４４およびスイッチ４５はフィルタ検出手段を、マイクロコンピュータ３１２はパラメータ算出手段を、ミラー５およびサブミラー１０は光束分割手段をそれそれ構成する。
【００４２】
【発明の効果】
以上説明したように、本発明では、フィルタ装着部に光学フィルタが装着されているか否かおよび装着されている光学フィルタの種類をフィルタ検出手段で検出し、その検出結果およびセンサの検出結果に基づいて焦点位置や露光量やホワイトバランス等の撮影パラメータを算出し、その撮影パラメータに基づいて撮影を行う。その結果、光学フィルタの有無や装着されている光学フィルタの種類に関わらず最適な状態で撮影を行うことができる。
【図面の簡単な説明】
【図１】本発明による撮影装置の一実施の形態を示したものであり、レンズ交換可能な一眼レフ式電子カメラの概略構成を示す断面図である。
【図２】フィルタユニットＦＵの一例を示す図であり、（ａ）はフィルタユニットＦＵの表面側を示しており、（ｂ）はフィルタユニットＦＵの裏面側を示している。
【図３】フィルタユニットＦＵの他の例を示す図であり、（ａ）はフィルタユニットＦＵ１の裏面側を示し、（ｂ）はフィルタユニットＦＵ２の裏面側を示す。
【図４】フィルタユニットＦＵの装着状態を説明する図であり、（ａ）はフィルタ装着部１４をレンズマウント２側から見た図であり、（ｂ）はフィルタ装着部１４に装着されたフィルタユニットＦＵを示す図である。
【図５】装着部４０に装着される光学フィルタの種類と接点４３ａ〜４３ｄおよびスイッチ４５の状態との対応関係を示す図である。
【図６】図１に示した電子カメラ１の回路ブロック図である。
【図７】フィルタユニットＦＵ認識およびフィルタユニットＦＵに応じた補正に関する処理のフローチャートである。
【図８】図７に示す処理動作の変形例を示すフローチャートである。
【図９】電子カメラ１００の概略構成を示す図である。
【符号の説明】
１　電子カメラ
４　撮影レンズ
５　ミラー
１０　サブミラー
１１　ＣＣＤ撮像素子
１３　測距センサ
１４　フィルタ装着部
１５　測光センサ
１６　測色センサ
３１　光学フィルタ
３６　導通パターン
４３ａ〜４３ｄ，４４　接点
４５　スイッチ
ＦＵ，ＦＵ１，ＦＵ２　フィルタユニット
Ｌ、Ｌ１，Ｌ２，Ｌ１１，Ｌ１２　光束
【図１】
2004129124.tif 000003
【図２】
2004129124.tif 000004
【図３】
2004129124.tif 000005
【図４】
2004129124.tif 000006
【図５】
2004129124.tif 000007
【図６】
2004129124.tif 000008
【図７】
2004129124.tif 000009
【図８】
2004129124.tif 000010
【図９】
2004129124.tif 000011